(57)【要約】【課題】バックアップ用のバッテリーを削減してコストを抑えることができる電源システムを提供する。【解決手段】第１の電力供給部及び第２の電力供給部から電力供給を受けることが可能な負荷と、第１の電力供給部と負荷とを第１の経路で接続し、第１の経路に過電流が流れたときに接続を開放する第１のスイッチと、第１の電力供給部と負荷とを第２の経路で接続し、第２の経路に過電流が流れたときに接続を開放する第２のスイッチと、第２の電力供給部と負荷とを第３の経路で接続し、第３の経路に過電流が流れたときに接続を開放する第３のスイッチと、第２の電力供給部と負荷とを第４の経路で接続し、第４の経路に過電流が流れたときに接続を開放する第４のスイッチと、を備え、第２の経路には第１の電力供給部から負荷へ向かって整流する第１の整流素子が、第４の経路には第２の電力供給部から負荷へ向かって整流する第２の整流素子がそれぞれ設けられている。【選択図】図１
2019140718.tif 000002
【特許請求の範囲】
【請求項１】
第１の電力供給部と、
第２の電力供給部と、
前記第１の電力供給部及び前記第２の電力供給部から電力供給を受けることが可能な負荷と、
前記第１の電力供給部と前記負荷とを第１の経路で接続し、当該第１の経路に過電流が流れたときに接続を開放する第１のスイッチと、
前記第１の電力供給部と前記負荷とを第２の経路で接続し、当該第２の経路に過電流が流れたときに接続を開放する第２のスイッチと、
前記第２の電力供給部と前記負荷とを第３の経路で接続し、当該第３の経路に過電流が流れたときに接続を開放する第３のスイッチと、
前記第２の電力供給部と前記負荷とを第４の経路で接続し、当該第４の経路に過電流が流れたときに接続を開放する第４のスイッチと、を備え、
前記第２の経路には、前記第１の電力供給部から前記負荷へ向かって整流する第１の整流素子が設けられており、
前記第４の経路には、前記第２の電力供給部から前記負荷へ向かって整流する第２の整流素子が設けられている、ことを特徴とする、
電源システム。
【請求項２】
前記第１乃至第４のスイッチ及び前記第１乃至第４のスイッチ以外の１つ以上のスイッチを含む複数のスイッチを制御する制御装置をさらに備え、
前記複数のスイッチは、過電流が流れたこと及び過電流が流れた方向に関する情報を前記制御装置にそれぞれ通知し、
前記制御装置は、前記複数のスイッチから通知される前記情報に基づいて、過電流が発生した異常箇所を特定し、当該異常箇所を経路から切り離すように前記複数のスイッチに接続状態を指示し、
前記複数のスイッチは、前記制御装置からの指示に基づいて接続状態をそれぞれ切り替える、ことを特徴とする、
請求項１に記載の電源システム。
【請求項３】
前記制御装置からの指示に基づいて前記複数のスイッチが接続状態をそれぞれ切り替えた後に、前記第１の電力供給部と前記第２の電力供給部とを接続する接続制御部をさらに備える、ことを特徴とする、
請求項２に記載の電源システム。
【請求項４】
前記第１の電力供給部は発電機であり、前記第２の電力供給部はバッテリーである、ことを特徴とする、
請求項１に記載の電源システム。
【発明の詳細な説明】
【技術分野】
【０００１】
本発明は、車両に搭載される電源システムに関する。
【背景技術】
【０００２】
特許文献１に、２つのバッテリーを冗長構成で有する車両用の電源システムが開示されている。この電源システムは、発電機と、第１系統の配線によって発電機に接続された第１のバッテリーと、第１系統と並列的に設けられる第２系統の配線によって発電機に接続された第２バッテリーとを備えることで、第１系統だけでなく第２系統からも負荷に電力を供給することができるようにしている。
【先行技術文献】
【特許文献】
【０００３】
【特許文献１】特開２０１６−０３７１０２号公報
【発明の概要】
【発明が解決しようとする課題】
【０００４】
上記特許文献１に記載の電源システムでは、車両の走行には発電機と第１のバッテリーとによる第１系統の電源を専ら使用して各種負荷に電力を供給し、第２系統の第２のバッテリーは、第１系統の電源が失陥したときなどの緊急時に車両を安全に退避行動させるための重要な機能を担う負荷（以下「重要負荷」という）に必要な電力を供給するためのバックアップ用として冗長的に設置されている。このため、搭載バッテリーのコスト面で電源システムを改善する余地がある。
【０００５】
本発明は、上記課題を鑑みてなされたものであり、緊急時における重要負荷への電力供給を維持し、かつ、バックアップ用のバッテリーを削減してシステムコストを抑えることができる、電源システムを提供することを目的とする。
【課題を解決するための手段】
【０００６】
上記課題を解決するために、本発明の一態様は、第１の電力供給部と、第２の電力供給部と、第１の電力供給部及び第２の電力供給部から電力供給を受けることが可能な負荷と、第１の電力供給部と負荷とを第１の経路で接続し、第１の経路に過電流が流れたときに接続を開放する第１のスイッチと、第１の電力供給部と負荷とを第２の経路で接続し、第２の経路に過電流が流れたときに接続を開放する第２のスイッチと、第２の電力供給部と負荷とを第３の経路で接続し、第３の経路に過電流が流れたときに接続を開放する第３のスイッチと、第２の電力供給部と負荷とを第４の経路で接続し、第４の経路に過電流が流れたときに接続を開放する第４のスイッチと、を備え、第２の経路には、第１の電力供給部から負荷へ向かって整流する第１の整流素子が設けられており、第４の経路には、第２の電力供給部から負荷へ向かって整流する第２の整流素子が設けられている、ことを特徴とする。
【０００７】
この一態様の電源システムでは、過電流が流れたときに接続を開放するスイッチと整流素子とを複数用い、重要負荷への電力供給経路として、スイッチを介して第１の電力供給部と接続される第１の経路、スイッチと整流素子とを介して第１の電力供給部と接続される第２の経路、スイッチを介して第２の電力供給部と接続される第３の経路、及びスイッチと整流素子とを介して第２の電力供給部と接続される第４の経路の、４つを構成している。
【０００８】
この構成によって、いずれか１つの経路において過電流が流れる地絡などの異常が発生したとしても、異常が発生した経路を他の経路と切り離すことができる。よって、バックアップ用のバッテリーを備えてなくても、他の経路に接続された第１の電力供給部及び／又は第２の電力供給部を用いて、緊急時における重要負荷への電力供給を維持することができる。
【０００９】
この一態様の電源システムにおいて、第１乃至第４のスイッチ及び第１乃至第４のスイッチ以外の１つ以上のスイッチを含む複数のスイッチを制御する制御装置をさらに備え、複数のスイッチは、過電流が流れたこと及び過電流が流れた方向に関する情報を制御装置にそれぞれ通知し、制御装置は、複数のスイッチから通知される情報に基づいて、過電流が発生した異常箇所を特定し、特定した異常箇所を経路から切り離すように複数のスイッチに接続状態を指示し、複数のスイッチは、制御装置からの指示に基づいて接続状態をそれぞれ切り替えてもよい。
【００１０】
この制御によって、過電流が発生した異常箇所に最も近いスイッチだけを開放することができるので、影響が極力少ない範囲によって異常箇所を第１の電力供給部及び／又は第２の電力供給部から切り離すことができる。従って、第１の電力供給部及び第２の電力供給部から電力供給を受けることが可能な負荷以外の負荷へも、電力を供給し続けることが可能となる。
【００１１】
また、この一態様の電源システムにおいて、制御装置からの指示に基づいて複数のスイッチが接続状態をそれぞれ切り替えた後に、制御装置からの指示に基づいて第１の電力供給部と第２の電力供給部とを接続する接続制御部をさらに備えてもよい。
【００１２】
この構成により、過電流が流れる地絡などの異常が発生した後でも、第１の電力供給部と第２の電力供給部との間で電力を融通させることができる。よって、例えば、第１の電力供給部が発電機であり、第２の電力供給部がバッテリーである場合、発電機に電圧変動が生じてもバッテリーで吸収することができ、またバッテリーの放電が進んでも発電機によって充電することができる。
【発明の効果】
【００１３】
上記本発明の電源システムによれば、緊急時における重要負荷への電力供給を維持し、かつ、バックアップ用のバッテリーを削減してシステムコストを抑えることができる。
【図面の簡単な説明】
【００１４】
【図１】本発明の第１の実施形態に係る電源システムの概略構成を示す図
【図２Ａ】第１の実施形態に係る電源システムによる制御を説明する図
【図２Ｂ】第１の実施形態に係る電源システムによる制御を説明する図
【図３Ａ】第１の実施形態に係る電源システムによる制御を説明する図
【図３Ｂ】第１の実施形態に係る電源システムによる制御を説明する図
【図４Ａ】第１の実施形態に係る電源システムによる制御を説明する図
【図４Ｂ】第１の実施形態に係る電源システムによる制御を説明する図
【図５Ａ】第１の実施形態に係る電源システムによる制御を説明する図
【図５Ｂ】第１の実施形態に係る電源システムによる制御を説明する図
【図６Ａ】第１の実施形態に係る電源システムによる制御を説明する図
【図６Ｂ】第１の実施形態に係る電源システムによる制御を説明する図
【図７】本発明の第２の実施形態に係る電源システムの概略構成を示す図
【図８Ａ】第２の実施形態に係る電源システムによる制御を説明する図
【図８Ｂ】第２の実施形態に係る電源システムによる制御を説明する図
【図８Ｃ】第２の実施形態に係る電源システムによる制御を説明する図
【図９】本発明の変形例１に係る電源システムの概略構成を示す図
【図１０】本発明の変形例２に係る電源システムの概略構成を示す図
【発明を実施するための形態】
【００１５】
＜概要＞
本発明の電源システムは、過電流が流れたときに接続を開放するスイッチと整流素子とを複数用い、重要負荷への電力供給経路として、スイッチを介して発電機と接続される第１の経路、スイッチと整流素子とを介して発電機と接続される第２の経路、スイッチを介してバッテリーと接続される第３の経路、及びスイッチと整流素子とを介してバッテリーと接続される第４の経路を構成している。この構成により、いずれか１つの経路において過電流が流れる異常が発生しても、異常が発生した経路を他の経路と切り離すことができる。
【００１６】
＜第１の実施形態＞
［構成］
図１は、第１の実施形態に係る電源システム１の概略構成を示す図である。図１に例示した電源システム１は、第１の電力供給部１１、第２の電力供給部１２、第１の電力供給部１１と第２の電力供給部１２との間に設けられる第１の接続切り替え部２１及び第２の接続切り替え部２２、第１の接続切り替え部２１と第２の接続切り替え部２２との間に配置される複数の分配器２４、及び複数の分配器２４と並列に設けられる整流器付き分配器２３、を備えて構成されている。
【００１７】
第１の電力供給部１１、第１の接続切り替え部２１、複数の分配器２４、第２の接続切り替え部２２、及び第２の電力供給部１２で構成される電源系統を「第１系統」と称し、第１の電力供給部１１、第１の接続切り替え部２１、整流器付き分配器２３、第２の接続切り替え部２２，及び第２の電力供給部１２で構成される電源系統を「第２系統」と称する。
【００１８】
整流器付き分配器２３と複数の分配器２４との間には、複数の第１の負荷３１及び複数の第２の負荷３２が接続されている。第１の負荷３１は、第１系統の電源が失陥した場合でも第２系統の電源から所定期間の電力供給を必要とする重要負荷であり、例えば自動運転において第１系統の電源が失陥したときなどの緊急時に車両を安全に退避行動させるための重要な機能を担う負荷とすることができる。第２の負荷３２は、通常の負荷である。なお、第１の負荷３１及び第２の負荷３２の数は、図１に示した数に限定されるものではなく、任意の必要な数を電源システム１に接続することができる。
【００１９】
第１の電力供給部１１は、複数の第１の負荷３１及び複数の第２の負荷３２に電力を供給することができる構成であり、典型的にはオルタネーターなどの発電機である。また、この第１の電力供給部１１は、例えば、入力する電源電圧を所定の電源電圧に変換して出力するＤＣＤＣコンバーターとしたり、リチウムイオン電池などの充放電可能に構成されたバッテリー（蓄電器）としたり、することができる。
【００２０】
第２の電力供給部１２は、複数の第１の負荷３１及び複数の第２の負荷３２に電力を供給することができる構成であり、典型的にはリチウムイオン電池などの充放電可能に構成されたバッテリー（蓄電器）である。また、この第２の電力供給部１２は、例えば、オルタネーターなどの発電機としたり、入力する電源電圧を所定の電源電圧に変換して出力するＤＣＤＣコンバーターとしたり、することができる。
【００２１】
第１の接続切り替え部２１は、例えば半導体素子を含む過電流保護機能を有したスイッチ２１１（以下「第１のスイッチ」という）及びスイッチ２１２（以下「第２のスイッチ」という）を備えた構成である。この第１の接続切り替え部２１は、第１のスイッチ２１１及び第２のスイッチ２１２の一方端子ａが第１の電力供給部１１に直接接続され、第１のスイッチ２１１の他方端子ｂが分配器２４を介して第１の負荷３１及び第２の負荷３２に接続され、第２のスイッチ２１２の他方端子ｃが整流器付き分配器２３を介して第１の負荷３１に接続されている。第１のスイッチ２１１を経由して第１の電力供給部１１が第１の負荷３１及び第２の負荷３２に接続される経路を「第１の経路」といい、第２のスイッチ２１２を経由して第１の電力供給部１１が第１の負荷３１に接続される経路を「第２の経路」という。
【００２２】
この第１の接続切り替え部２１において、第１のスイッチ２１１は、通常は一方端子ａと他方端子ｂとを接続しており、端子間に所定値以上の電流（過電流）が流れると一方端子ａと他方端子ｂとの接続を開放するように動作する。また、第２のスイッチ２１２は、通常は一方端子ａと他方端子ｃとを接続しており、端子間に所定値以上の電流（過電流）が流れると一方端子ａと他方端子ｃとの接続を開放するように動作する。
【００２３】
第２の接続切り替え部２２は、例えば半導体素子を含む過電流保護機能を有したスイッチ２２３（以下「第３のスイッチ」という）及びスイッチ２２４（以下「第４のスイッチ」という）を備えた構成である。この第２の接続切り替え部２２は、第３のスイッチ２２３及び第４のスイッチ２２４の一方端子ｄが第２の電力供給部１２に直接接続され、第３のスイッチ２２３の他方端子ｅが分配器２４を介して第１の負荷３１及び第２の負荷３２に接続され、第４のスイッチ２２４の他方端子ｆが整流器付き分配器２３を介して第１の負荷３１に接続されている。第３のスイッチ２２３を経由して第２の電力供給部１２が第１の負荷３１及び第２の負荷３２に接続される経路を「第３の経路」といい、第４のスイッチ２２４を経由して第２の電力供給部１２が第１の負荷３１に接続される経路を「第４の経路」という。
【００２４】
この第２の接続切り替え部２２において、第３のスイッチ２２３は、通常は一方端子ｄと他方端子ｅとを接続しており、端子間に所定値以上の電流（過電流）が流れると一方端子ｄと他方端子ｅとの接続を開放するように動作する。また、第４のスイッチ２２４は、通常は一方端子ｄと他方端子ｆとを接続しており、端子間に所定値以上の電流（過電流）が流れると一方端子ｄと他方端子ｆとの接続を開放するように動作する。
【００２５】
整流器付き分配器２３は、第２のスイッチ２１２と第４のスイッチ２２４との間に設けられ、第２系統の電源を複数の第１の負荷３１に分配して供給するための構成である。この整流器付き分配器２３は、第２の経路において、第１の電力供給部１１から複数の第１の負荷３１へ向かって整流する第１の整流素子２３１と、第４の経路において、第２の電力供給部１２から複数の第１の負荷３１へ向かって整流する第２の整流素子２３２とを、含んでいる。
【００２６】
複数の分配器２４は、第１のスイッチ２１１と第３のスイッチ２２３との間にそれぞれ設けられ、第１系統の電源を複数の第１の負荷３１及び複数の第２の負荷３２に分配して供給するための構成である。
【００２７】
［制御］
次に、図２Ａ乃至図６Ｂをさらに参照して、第１の実施形態に係る電源システム１による制御を説明する。各図は、任意の箇所で地絡による過電流が流れる異常が発生したときの制御状態を例示した図である。なお、各図において地絡が発生する前の通常の状態は、第１系統及び第２系統の双方を用いて複数の第１の負荷３１及び複数の第２の負荷３２に並列的に電源を供給している状態としている。
【００２８】
図２Ａに示す箇所（第１の経路上）で地絡が生じた場合には、第１の電力供給部１１から第１のスイッチ２１１を介して地絡箇所に向かって大電流が流れ、かつ、第２の電力供給部１２から第３のスイッチ２２３を介して地絡箇所に向かって大電流が流れる。この場合、図２Ｂに示すように、第１のスイッチ２１１及び第３のスイッチ２２３は、過電流が流れたことを検知して接続を開放する。この制御により、地絡箇所が第１の電力供給部１１及び第２の電力供給部１２から切り離されると共に、複数の第１の負荷３１へは第２の経路及び第４の経路を介して第１の電力供給部１１及び第２の電力供給部１２から電源供給が継続される。
【００２９】
また、図３Ａに示す箇所（第２の経路上）で地絡が生じた場合には、第１の電力供給部１１から第２のスイッチ２１２を介して地絡箇所に向かって大電流が流れ、かつ、第２の電力供給部１２から第３のスイッチ２２３、第１のスイッチ２１１、及び第２のスイッチ２１２を介して地絡箇所に向かって大電流が流れる。この場合、図３Ｂに示すように、第１のスイッチ２１１、第２のスイッチ２１２、及び第３のスイッチ２２３は、過電流が流れたことを検知して接続を開放する。この制御により、地絡箇所が第１の電力供給部１１及び第２の電力供給部１２から切り離されると共に、複数の第１の負荷３１へは第４の経路を介して第２の電力供給部１２から電源供給が継続される。
【００３０】
また、図４Ａに示す箇所（第４の経路上）で地絡が生じた場合には、第１の電力供給部１１から第１のスイッチ２１１、第３のスイッチ２２３、及び第４のスイッチ２２４を介して地絡箇所に向かって大電流が流れ、かつ、第２の電力供給部１２から第４のスイッチ２２４を介して地絡箇所に向かって大電流が流れる。この場合、図４Ｂに示すように、第１のスイッチ２１１、第３のスイッチ２２３、及び第４のスイッチ２２４は、過電流が流れたことを検知して接続を開放する。この制御により、地絡箇所が第１の電力供給部１１及び第２の電力供給部１２から切り離されると共に、複数の第１の負荷３１へは第２の経路を介して第１の電力供給部１１から電源供給が継続される。
【００３１】
また、図５Ａに示す箇所（第１の電力供給部１１と第１の接続切り替え部２１との間）で地絡が生じた場合には、第１の電力供給部１１から地絡箇所に向かって直接大電流が流れ、かつ、第２の電力供給部１２から第３のスイッチ２２３及び第１のスイッチ２１１を介して地絡箇所に向かって大電流が流れる。この場合、図５Ｂに示すように、第１のスイッチ２１１及び第３のスイッチ２２３は、過電流が流れたことを検知して接続を開放する。この制御により、地絡箇所が第２の電力供給部１２から切り離されると共に、複数の第１の負荷３１へは第４の経路を介して第２の電力供給部１２から電源供給が継続される。なお、第２のスイッチ２１２は、過電流を検知していないため接続されたままであるが、第１の整流素子２３１の作用によって第２の電力供給部１２から地絡箇所に向かって大電流が流れることを防いでいる。
【００３２】
また、図６Ａに示す箇所（第２の電力供給部１２と第２の接続切り替え部２２との間）で地絡が生じた場合には、第２の電力供給部１２から地絡箇所に向かって直接大電流が流れ、かつ、第１の電力供給部１１から第１のスイッチ２１１及び第３のスイッチ２２３を介して地絡箇所に向かって大電流が流れる。この場合、図６Ｂに示すように、第１のスイッチ２１１及び第３のスイッチ２２３は、過電流が流れたことを検知して接続を開放する。この制御により、地絡箇所が第１の電力供給部１１から切り離されると共に、複数の第１の負荷３１へは第２の経路を介して第１の電力供給部１１から電源供給が継続される。なお、第４のスイッチ２２４は、過電流を検知していないため接続されたままであるが、第２の整流素子２３２の作用によって第１の電力供給部１１から地絡箇所に向かって大電流が流れることを防いでいる。
【００３３】
［作用・効果］
以上のように、第１の実施形態に係る電源システム１によれば、過電流が流れたときに接続を開放する第１〜第４のスイッチ２１１、２１２、２２３、２２４と第１〜第２の整流素子２３１、２３２とを用い、重要負荷である第１の負荷３１への電力供給経路として、第１のスイッチ２１１を介して第１の電力供給部１１と接続される第１の経路、第２のスイッチ２１２と第１の整流素子２３１とを介して第１の電力供給部１１と接続される第２の経路、第３のスイッチ２２３を介して第２の電力供給部１２と接続される第３の経路、及び第４のスイッチ２２４と第２の整流素子２３２とを介して第２の電力供給部１２と接続される第４の経路を構成する。
【００３４】
この構成によって、いずれか１つの経路において過電流が流れる地絡などの異常が発生したとしても、異常が発生した経路を他の経路と切り離すことができる。よって、バックアップ用のバッテリーを備えてなくても、他の経路に接続された第１の電力供給部１１及び／又は第２の電力供給部１２を用いて、緊急時における重要負荷である第１の負荷３１への電力供給を維持することができる。
【００３５】
＜第２の実施形態＞
［構成］
図７は、第２の実施形態に係る電源システム２の概略構成を示す図である。図７に例示した電源システム２は、上述した第１の実施形態に係る電源システム１の構成において、第１の接続切り替え部２１を第１の接続切り替え部５１に代え、第２の接続切り替え部２２を第２の接続切り替え部５２に代え、複数の分配器２４を複数の分配器５４に代え、かつ、制御装置６０をさらに加えた構成である。
【００３６】
以下、この異なる構成を中心に第２の実施形態に係る電源システム２を説明し、電源システム１と同じ参照符号が付された構成については、その説明を適宜省略する。
【００３７】
第１の接続切り替え部５１は、過電流を検知したときに端子間の接続を開放する過電流保護機能を有した第１のスイッチ２１１及び第２のスイッチ２１２を備えている。さらに、この第１の接続切り替え部５１は、各スイッチにおいて過電流が流れた方向を制御装置６０に通知する機能と、制御装置６０からの指示に基づいて各スイッチの接続状態を制御する機能と、を有している。
【００３８】
第２の接続切り替え部５２は、過電流を検知したときに端子間の接続を開放する過電流保護機能を有した第３のスイッチ２２３及び第４のスイッチ２２４を備えている。さらに、この第２の接続切り替え部５２は、各スイッチにおいて過電流が流れた方向を制御装置６０に通知する機能と、制御装置６０からの指示に基づいて各スイッチの接続状態を制御する機能と、を有している。
【００３９】
複数の分配器５４は、第１のスイッチ２１１と第３のスイッチ２２３との間にそれぞれ設けられ、第１系統の電源を複数の第１の負荷３１及び複数の第２の負荷３２に分配して供給するための構成である。各分配器５４は、分配線が分岐する分岐点から一方端子までの間と他方端子までの間にそれぞれ、過電流を検知したときに端子間の接続を開放する過電流保護機能を有したスイッチ５１１及び５１２を備えている。さらに、各分配器５４は、各スイッチにおいて過電流が流れたことや過電流が流れた方向の情報を制御装置６０に通知する機能と、制御装置６０からの指示に基づいて各スイッチの接続状態を制御する機能と、を有している。
【００４０】
制御装置（ＥＣＵ：Electronic Control Unit）６０は、第１の接続切り替え部５１、第２の接続切り替え部５２、及び複数の分配器５４から、各スイッチにおける過電流の有無及び電流の方向に関する情報の通知を受信する。そして、制御装置６０は、受信した通知の情報に基づいて、地絡などの過電流が流れる異常が発生している箇所を特定し、その特定した異常の箇所を第１の電力供給部１１及び第２の電力供給部１２から切り離すように、第１の接続切り替え部５１、第２の接続切り替え部５２、及び複数の分配器５４に対してスイッチの接続状態を制御する指示を行う。
【００４１】
［制御］
次に、図８Ａ乃至図８Ｃをさらに参照して、第２の実施形態に係る電源システム２による制御を説明する。各図は、分配器５４ａと分配器５４ｂとの間で地絡による過電流が流れる異常が発生したときの制御状態を例示した図である。なお、各図において地絡が発生する前の通常の状態は、第１系統及び第２系統の双方を用いて複数の第１の負荷３１及び複数の第２の負荷３２に並列的に電源を供給している状態としている。
【００４２】
図８Ａに示す箇所で地絡が生じた場合には、第１の電力供給部１１から第１のスイッチ２１１、分配器５４ｃ、分配器５４ｂを介して地絡箇所に向かって大電流が流れ、かつ、第２の電力供給部１２から第３のスイッチ２２３及び分配器５４ａを介して地絡箇所に向かって大電流が流れる。
【００４３】
この場合、図８Ｂに示すように、第１の接続切り替え部２１は、第１のスイッチ２１１の接続を開放すると共に、過電流が流れたこと及び過電流が流れた方向Ｒ（第１の電力供給部１１から第２の電力供給部１２への方向）を制御装置６０に通知する。分配器５４ｃ及び分配器５４ｂは、スイッチの接続を全て開放すると共に、過電流が流れたこと及び過電流が流れた方向Ｒを制御装置６０にそれぞれ通知する。第２の接続切り替え部２２は、第３のスイッチ２２３の接続を開放すると共に、過電流が流れたこと及び過電流が流れた方向Ｌ（第２の電力供給部１２から第１の電力供給部１１への方向）を制御装置６０に通知する。分配器５４ａは、スイッチの接続を全て開放すると共に、過電流が流れたこと及び過電流が流れた方向Ｌを制御装置６０にそれぞれ通知する。
【００４４】
制御装置６０は、第１の接続切り替え部２１、第２の接続切り替え部２２、分配器５４ａ、分配器５４ｂ、及び分配器５４ｃから通知された情報に基づいて地絡箇所を特定する。そして、制御装置６０は、図８Ｃに示すように、この特定した地絡箇所を切り離すべく、分配器５４ａのスイッチ５１１及び分配器５４ｂのスイッチ５１２のみを開放して（ｏｆｆ）、かつ、他のスイッチは接続する（ｏｎ）指示を、第１の接続切り替え部２１、第２の接続切り替え部２２、及び分配器５４ａ〜５４ｃに対して行う。
【００４５】
制御装置６０から指示を受けた第１の接続切り替え部２１、第２の接続切り替え部２２、及び分配器５４ａ〜５４ｃは、指示に従って第１〜第４のスイッチ２１１、２１２、２２３、２２４、及び各分配器５４のスイッチ５１１、５１２の接続状態を、それぞれ切り替える。
【００４６】
［作用・効果］
以上のように、第２の実施形態に係る電源システム２によれば、第１〜第４のスイッチ２１１、２１２、２２３、２２４、及び各分配器５４のスイッチ５１１、５１２などの、複数のスイッチを制御する制御装置６０を用いて、複数のスイッチから通知される過電流に関する情報に基づいて過電流が発生した箇所を特定し、特定した箇所が経路から切り離されるように複数のスイッチの接続状態を切り替える。
【００４７】
この制御によって、地絡が発生した異常箇所に最も近いスイッチだけを開放することができるので、影響が極力少ない範囲によって異常箇所を第１の電力供給部１１及び／又は第２の電力供給部１２から切り離すことができる。従って、第１の電力供給部１１及び第２の電力供給部１２から電力供給を受けることが可能な第１の負荷３１以外の第２の負荷３２へも、電力を供給し続けることが可能となる。
【００４８】
＜変形例１＞
図９に示す電源システム３のように、上記第２の実施形態に係る電源システム２の構成に、制御装置６０からの指示に基づいて複数のスイッチが接続状態をそれぞれ切り替えた後に、制御装置６０からの指示に基づいて第１の電力供給部１１と第２の電力供給部１２とを接続する接続制御部７０をさらに設けてもよい。
【００４９】
この電源システム３の構成により、地絡などの異常が発生した後でも、第１の電力供給部１１と第２の電力供給部１２との間で電力を融通させることができる。よって、例えば、第１の電力供給部１１が発電機であり、第２の電力供給部１２がバッテリーである場合、発電機に電圧変動が生じてもバッテリーで吸収することができ、またバッテリーの放電が進んでも発電機によって充電することができる。
【００５０】
＜変形例２＞
図１０に示す電源システム４のように、上記第１の実施形態に係る電源システム１の構成において発電機１１が接続されている側の第２系統の経路上に、電圧変動対策用の小容量バッテリー８０を追加してもよい。このようにしても、発電機１１に生じる電圧変動を吸収することができる。
【００５１】
また、第１のスイッチ２１１、第２のスイッチ２１２、第３のスイッチ２２３、及び第４のスイッチ２２４は、過電流を検知して端子間の接続を開放するまでの動作が遅くても構わなければ、メカニカルヒューズを使用しても構わない。
【００５２】
＜参考例＞
上記第２の実施形態に係る電源システム２の構成において、地絡などの異常が発生してから、制御装置６０による異常箇所の特定及び異常箇所の切り離しのための各スイッチに対する接続切り替え指示を行うまでの遅延時間を許容できるのであれば、第２のスイッチ２１２、第４のスイッチ２２４、及び整流器付き分配器２３による第２系統の配線を省略することも可能である。
【産業上の利用可能性】
【００５３】
本発明の電源システムは、負荷に電源を供給する電源系統を２つ備えた車両などに利用可能である。
【符号の説明】
【００５４】
１、２、３、４  電源システム
１１、１２  電力供給部
２１、２２、５１、５２  接続切り替え部
２１１、２１２、２２３、２２４、５１１、５１２  スイッチ
２３  整流器付き分配器
２３１、２３２  整流素子
２４、５４  分配器
３１、３２  負荷
６０  制御装置（ＥＣＵ）
７０  接続制御部
８０  小容量バッテリー
【図１】
2019140718.tif 000003
【図２Ａ】
2019140718.tif 000004
【図２Ｂ】
2019140718.tif 000005
【図３Ａ】
2019140718.tif 000006
【図３Ｂ】
2019140718.tif 000007
【図４Ａ】
2019140718.tif 000008
【図４Ｂ】
2019140718.tif 000009
【図５Ａ】
2019140718.tif 000010
【図５Ｂ】
2019140718.tif 000011
【図６Ａ】
2019140718.tif 000012
【図６Ｂ】
2019140718.tif 000013
【図７】
2019140718.tif 000014
【図８Ａ】
2019140718.tif 000015
【図８Ｂ】
2019140718.tif 000016
【図８Ｃ】
2019140718.tif 000017
【図９】
2019140718.tif 000018
【図１０】
2019140718.tif 000019